(57)【要約】【課題】針掛かりがしやすく、針掛かりしてもルアー本体の大きさや重さを魚が感じ難く針外しが困難な複合ルアーを提供する。【解決手段】水に対して浮力を有する立体形状のルアー本体１１に前後に貫通する糸通し孔１２を設け、後側端部にフック付き疑似餌１４を有するハリス１３を糸通し孔１２に挿通している。そして、糸通し孔１２の尾部から出たハリス１３の途中位置にストッパー２１が設けられて、ルアー本体１１とフック付き疑似餌１４との間に距離を設けている。【選択図】図２
2010252654.tif 000002
【特許請求の範囲】
【請求項１】
水に対して浮力を有する立体形状のルアー本体に前後に貫通する糸通し孔を設け、後側端部にフック付き疑似餌を有するハリスを前記糸通し孔に挿通していることを特徴とする複合ルアー。
【請求項２】
請求項１記載の複合ルアーにおいて、前記糸通し孔の尾部から出た前記ハリスの途中位置にストッパーが設けられて、前記ルアー本体と前記フック付き疑似餌との間に距離を設けていることを特徴とする複合ルアー。
【請求項３】
請求項２記載の複合ルアーにおいて、前記ストッパーは前記ハリスに対して摺動式であることを特徴とする複合ルアー。
【請求項４】
請求項１〜３のいずれか１記載の複合ルアーにおいて、前記ルアー本体には、棒状発光体が装着可能であることを特徴とする複合ルアー。
【請求項５】
請求項４記載の複合ルアーにおいて、前記棒状発光体は前記ルアー本体の上部に装着可能となっていることを特徴とする複合ルアー。
【請求項６】
請求項１〜５のいずれか１記載の複合ルアーにおいて、前記ルアー本体はプラグであって、前記フック付き疑似餌はフェザーフックであることを特徴とする複合ルアー。
【発明の詳細な説明】
【技術分野】
【０００１】
本発明は渓流、川、池又は海等で餌を使用しないルアーフィッシングに使用される複合ルアーに関する。
【背景技術】
【０００２】
従来、例えば特許文献１や２に記載のように、ルアーフィッシングでは、プラスチックや木、金属等の硬質の素材に様々な立体的加工を加えて、例えば、小魚のように形成したプラグが使用され、このプラグには本体（即ち、ルアー本体）に連結された１又は２以上のフックを有している。また、細い繊維や羽毛を束ねてその中にフックを隠したフライタイプのルアーも使用されている。
【先行技術文献】
【特許文献】
【０００３】
【特許文献１】特開２００３−１６９５６８号公報
【特許文献２】特開２００５−６６１９号公報
【発明の概要】
【発明が解決しようとする課題】
【０００４】
しかしながら、特許文献１及び２に記載のプラグタイプのルアーにおいては、魚がルアーを銜えようとした場合、ルアー本体が大きいので、魚の口にルアーが入りきれず針掛かりが悪いという問題がある。
また、スズキ等の魚はフッキングした後、首を振るのでルアー本体（プラグ）の重さで針が外れる場合がある。
【０００５】
本発明はかかる事情に鑑みてなされたもので、針掛かりがしやすく、針掛かりしてもルアー本体の大きさや重さを魚が感じ難く針外しが困難な複合ルアーを提供することを目的とする。
【課題を解決するための手段】
【０００６】
前記目的に沿う第１の発明に係る複合ルアーは、水に対して浮力を有する立体形状のルアー本体に前後に貫通する糸通し孔を設け、後側端部にフック付き疑似餌を有するハリスを前記糸通し孔に挿通している。
ここで、ルアー本体（ルアーからフックを除いた部分）には、例えば、引っ張るに連れて左右に動いて魚の興味を引くアクティブフロート、プラグ（ミノー、クランクベイト、シャッド、バイブレーション、ペンシルベイト、ポッパー、スウィッシャー、ノイジー、ダーター、フロッグ、ビッグベイト）やスプーン等を含む。
また、糸通り孔には、ルアー本体に直接貫通孔を設ける場合の他、スプーン等の前後にハリスを通すためのガイド孔（糸通し孔）を設けている場合も含む。
【０００７】
第２の発明に係る複合ルアーは、第１の発明に係る複合ルアーにおいて、前記糸通し孔の尾部から出た前記ハリスの途中位置にストッパーが設けられて、前記ルアー本体と前記フック付き疑似餌との間に距離を設けている。従って、このストッパーは前記した糸通し孔の口径より大きいことになる。
【０００８】
第３の発明に係る複合ルアーは、第２の発明に係る複合ルアーにおいて、前記ストッパーは前記ハリスに対して摺動式である。この場合のストッパーとして、中央に小径のハリス挿通孔が設けられた柔軟性を有するプラスチックやゴムで出来た塊（球形、楕球形、紡錘形等）がある。
【０００９】
第４の発明に係る複合ルアーは、第１〜第３の発明に係る複合ルアーにおいて、前記ルアー本体には、棒状発光体が装着可能である。この棒状発光体としては、例えば通称「ケミホタル（商標名）」がある。
【００１０】
第５の発明に係る複合ルアーは、第４の発明に係る複合ルアーにおいて、前記棒状発光体は前記ルアー本体の上部に取り外し可能に装着可能となっている。
【００１１】
第６の発明に係る複合ルアーは、第１〜第５の発明に係る複合ルアーにおいて、前記ルアー本体はプラグであって、前記フック付き疑似餌はフェザーフックである。この場合のフックはシングルフック、ダブルフック、トリプルフックであってもよい。
【発明の効果】
【００１２】
本発明に係る複合ルアーにおいては、水に対して浮力を有する立体形状のルアー本体に前後に貫通する糸通し孔を設け、後側端部にフック付き疑似餌を有するハリスを糸通し孔に挿通しているので、魚がフック付き疑似餌に食らいついた場合、フック付き疑似餌がルアー本体から分離して、針掛かり（フッキング）がよい。
また、スズキ等の魚は針掛かりした後、逃げようとして首を振る動作を行うが、首を振ってもハリスはルアー本体の糸通り孔を挿通しているので、フックから外れにくい。
【００１３】
道糸（釣糸）とその先に繋がれるハリスを略直線状に保持できるので、魚が食いついた場合の当たりが瞬時に釣り人に伝わり、魚の当たりを正確に捕らえることができる。
ルアー本体が従来のプラグの場合、フックの交換はスプリットリングを外しての交換になるが、本発明の複合ルアーにおいては、糸（ハリス）をフック付き疑似餌（具体的にはフック）に結ぶだけで良いので、簡単に交換できる。
【００１４】
そして、ルアー本体は中通し式なので、魚が掛かった後はルアー本体はそのまま浮かんでおり、ルアー本体が水の抵抗を受けないので針外れ（所謂「バラシ」）しにくくなる。なお、ルアー本体の後部に所定長のハリスを介してフック付き疑似餌を取り付けた場合には、フック付き疑似餌への食いつきが促進されるが、魚が暴れた場合にルアー本体が抵抗となり、針外れが生じ易い。
更には、ルアー本体にシンカー（錘）を付けることによって、中層や下層にもルアー本体を泳がすことができる。
【００１５】
更に、魚はルアーに興味があるので、近寄ってはくるが、なかなかルアー本体には食い付かない。しかし、糸通し孔の尾部から出たハリスの途中位置にストッパーが設けられてルアー本体とフック付き疑似餌との間に距離を設けるようにした場合には、毛等の疑似餌がついている側に食いつき易い。
【００１６】
また、ストッパー付きの複合ルアーにおいて、ストッパーがハリスに対して摺動式であると、ルアー本体とフック付き疑似餌との距離を適正に調整できる。
そして、本発明に係る複合ルアーにおいて、ルアー本体に棒状発光体が装着可能であると、集魚力を増す効果がある。
【図面の簡単な説明】
【００１７】
【図１】本発明の第１の実施の形態に係る複合ルアーの説明図である。
【図２】本発明の第２の実施の形態に係る複合ルアーの説明図である。
【図３】本発明の第３の実施の形態に係る複合ルアーの説明図である。
【図４】本発明の第４の実施の形態に係る複合ルアーの説明図である。
【発明を実施するための形態】
【００１８】
図１に示すように、本発明の第１の実施の形態に係る複合ルアー１０は、立体形状のルアー本体の一例であるプラグ１１と、プラグ１１に設けられた前後に貫通する糸通し孔１２に挿通されたハリス１３と、ハリス１３の後側端部に取付けられたフック付き疑似餌１４とを有している。
【００１９】
プラグ１１は木製又はプラスチック製であって、魚等の小動物の形態となって、水より比重が小さく水面に少なくともその１／２〜１／５は浮くようになっている。そして、全体の姿勢を保つように、下側に重心があって、丁度魚が背中を上にして水面を動くようになっている。なお、この実施の形態ではルアー本体にはフックは設けられていないが、適宜フックを設ける場合も本発明が適用される（以下の実施の形態においても同じ）。
プラグ１１の中央には前後に貫通する糸通し孔１２が設けられ、ハリス１３を自由に移動可能に挿通している。
【００２０】
ハリス１３は細くて強度を有する合成樹脂製の釣糸からなって、例えば、１５ｃｍ〜２００ｃｍの長さを有し、先端部にはサルカン（釣糸連結具の一例）１５を介して道糸（ハリス１３より太めの釣糸）１６に連結されている。
ハリス１３の後側端部に取付けられているフック付き疑似餌１４は、トリプルフック付き疑似餌からなって、魚に対する引っ掛かりがよくなっている。
【００２１】
フック付き疑似餌１４はこの実施の形態では複数本の羽毛１８を束ねてトリプルフック１９に巻き付けている（即ち、フェザーフックとなる）。羽毛１８は実際の羽毛であってもよいし、合成樹脂製の羽毛であってもよい。勿論、必要があれば、プラグ１１自体に従来のようなフックを取り付ける場合も本発明は適用される（以下の実施の形態においても同じ）。
【００２２】
この複合ルアー１０を使用する場合は、プラグ１１を所定のポイントに投入して、道糸１６を引くと、プラグ１１が図１に示す態様で水面を泳ぐ。プラグ１１の水抵抗があるので、フック付き疑似餌１４はプラグ１１の直後に配置される。なお、１７は海又は川等の水を示す。
【００２３】
魚がプラグ１１を視認して、フック付き疑似餌１４に食らいつくと、ハリス１３が引っ張られ、プラグ１１は水面に浮いた状態で、その当たりが直ちに釣り人に伝わる。フック付き疑似餌１４はプラグ１１とは独立しているので、魚が首を振っても容易に外すことはできない。
【００２４】
続いて、図２を参照しながら、本発明の第２の実施の形態に係る複合ルアー２０について説明するが、第１の実施の形態に係る複合ルアー１０と同一の構成要素については、同一の番号を付してその詳しい説明を省略する（以下の実施の形態においても同じ）。
【００２５】
この複合ルアー２０は、立体形状のルアー本体の一例であるプラグ１１と、プラグ１１に設けられた前後に貫通する糸通し孔１２に挿通されたハリス１３と、ハリス１３の後側端部に取付けられたフック付き疑似餌２４と、糸通し孔１２の尾部（後端部）から出たハリス１３に装着されるストッパー２１とを有している。
【００２６】
ストッパー２１は、ゴム又は柔軟性を有するプラスチック素材からなり、頂角が１５〜６０度の円錐台を底面を一体的に合わせて紡錘状となって、中間部にリング状突出部２３を有し、中央部には前後に貫通するハリス挿通孔が設けられている。ハリス挿通孔の両側又は片側はテーパー状となって、その入り口側はハリス１３の外径より十分大きいが、中間部はハリス１３の外径より小さく（例えば、ハリス１３の外径の５０〜９５％）なって、一旦ハリス挿通孔に通ったハリス１３は容易に移動しないようになっている。
【００２７】
この実施の形態では、後側端部にフック付き疑似餌２４が設けられているハリス１３の中間位置にストッパー２１が設けられ、ストッパー２１からフック付き疑似餌２４の距離が例えば１５〜１００ｃｍ程度となっている。なお、ストッパー２１からフック付き疑似餌２４の距離はストッパー２１をハリス１３に沿って移動させる、即ち摺動式にすることによって自由に変えることができる。また、この実施の形態において、フック付き疑似餌２４は羽毛１８の他に長尺の短冊からなる合成樹脂製のひらひら片２５が設けられているが省略することも可能である。
【００２８】
この複合ルアー２０を使用する場合には、プラグ１１の後側に距離をおいてフック付き疑似餌２４があるので、魚はプラグ１１を見つけてこの複合ルアー２０に近づくが、近づくとフック付き疑似餌２４が小さいので、先にこちらに食らいつき易い。
【００２９】
続いて、図３に示す本発明の第３の実施の形態に係る複合ルアー２７について説明する。この実施の形態においては、第２の実施の形態に係る複合ルアー２０において、ルアー本体の一例として木材又はプラスチック材からなるアクティブフロート２８が用いられている。このアクティブフロート２８は前側下部に窪み２９が設けられ、アクティブフロート２８の前側を引くと、アクティブフロート２８自体が左右及び又は前後に揺動し、魚の興味を湧かせるものである。なお、このアクティブフロート２８の中央部には前後に貫通して糸通し孔１２ａが設けられている。
【００３０】
この複合ルアー２７の使用においては、道糸１６を引くとストッパー２１によって止められているアクティブフロート２８が水面を泳ぎ、これに魚が興味を有して近づき、より小型のフック付き疑似餌２４に食らいつくことになる。
【００３１】
次に、図４に示す本発明の第４の実施の形態に係る複合ルアー３０について説明するが、アクティブフロート３１の上部に棒状発光体（例えば、商標名「ケミホタル」）３２の装着部３３が設けられている。この装着部３３は棒状発光体３２が嵌まり込む溝であってもよいし、棒状発光体３２の一部が嵌入する穴であってもよい。
【００３２】
この複合ルアー３０を使用すると、夜間棒状発光体３２が光るので、魚及び釣り人にとって視認性が増す。これによって、魚はより興味を引かれ、釣り人は複合ルアー３０の所在が容易に判る。この棒状発光体３２の装着部は第１、第２の実施の形態に係る複合ルアー１０、２０に設けることもできる。
【００３３】
本発明は前記実施の形態に限定されるものではなく、本発明の要旨を変更しない範囲での形状変更、数値変更がある場合も本発明は適用される。
【符号の説明】
【００３４】
１０：複合ルアー、１１：プラグ、１２、１２ａ：糸通し孔、１３：ハリス、１４：フック付き疑似餌、１５：サルカン、１６：道糸、１７：水、１８：羽毛、１９：トリプルフック、２０：複合ルアー、２１：ストッパー、２３：リング状突出部、２４：フック付き疑似餌、２５：ひらひら片、２７：複合ルアー、２８：アクティブフロート、２９：窪み、３０：複合ルアー、３１：アクティブフロート、３２：棒状発光体、３３：装着部  
【図１】
2010252654.tif 000003
【図２】
2010252654.tif 000004
【図３】
2010252654.tif 000005
【図４】
2010252654.tif 000006